(57)【要約】【課題】  施工が簡単で低コストに製作でき、軒樋の集水機能を低下させることなく、軒樋内に落ち葉やゴミ、鳥の巣等の侵入を防ぐことができ、さらには集水器から縦樋内に侵入する異物も排除することができる軒樋用収容具を提供すること。【解決手段】  軒下に敷設される樋内に収容する軒樋用収容具であって、該軒樋用収容具（１）は、軒樋（１０）の底面（１３）から軒樋上部の開口部（１４）に亘り軒樋（１０）の全体に収容されていることを特徴とする。また、前記軒樋用収容具（１）は複数の繊維層で構成されており、密度の異なる高密度繊維層（２）と低密度繊維層（３）とからなる。さらに、前記軒樋（１０）に装着される集水器（２０）内に軒樋用収容具（２１）を収納させた。【選択図】図１
2011058347.tif 000002
【特許請求の範囲】
【請求項１】
軒樋内に収容される軒樋用収容具であって、該軒樋用収容具は、軒樋底面から軒樋上部開口部に亘る樋内全体に収容されていることを特徴とする軒樋用収容具。
【請求項２】
前記軒樋用収容具は複数の繊維層で構成される請求項１記載の軒樋用収容具。
【請求項３】
前記軒樋用収容具は密度の異なる高密度繊維層と低密度繊維層とからなる請求項１または２記載の軒樋用収容具。
【請求項４】
前記軒樋用収容具は、軒樋内において高密度繊維層が上部に、低密度繊維層が下部に配設される請求項３記載の軒樋用収容具。
【請求項５】
前記高密度繊維層は、ニードルパンチ形状のハードマットである請求項３または４記載の軒樋用収容具。
【請求項６】
前記低密度繊維層は、スプリング状のカールマットである請求項３または４記載の軒樋用収容具。
【請求項７】
前記軒樋用収容具は、天然繊維または／および合成繊維にて形成されている請求項１乃至６のうちいずれか１項に記載の軒樋用収容具。
【請求項８】
前記軒樋に装着される集水器内に軒樋用収容具を収納させた請求項７記載の軒樋用収容具。
【発明の詳細な説明】
【技術分野】
【０００１】  本発明は、軒樋の集水機能を低下させることなく、軒樋内に落葉やゴミ、鳥の巣等の侵入を防ぐとともに、集水器内で異物を保持することで、縦樋への異物の侵入も防ぐことができる軒樋用収容具に関する。
【背景技術】
【０００２】  一般家屋の屋根の軒下には、屋根からの雨水を集めて地面に流す軒樋が設置されている。通常の軒樋は、金属や樹脂の素材からなり、一般家屋用の断面半丸形状の半丸軒樋や、工業用の断面角形状の角軒樋等がある。また軒樋の雨水を下方に排水させるため、軒樋には縦樋が連結されており、軒樋と縦樋との連結部分には集水器が装着されている。【０００３】  しかし、軒樋や集水器内には落葉やゴミ、また鳥の巣等が侵入し、軒樋が劣化したり破損したりするという問題が発生した。【０００４】  それらの問題を解消すべく、従来技術として、強風時に飛来し軒樋へ進入する落葉を無くす雨樋の落葉除避け具がある（例えば、特許文献１参照）。
上掲特許文献１の雨樋は、中空に形成した網目状の棒状体を軒樋に嵌入し、上面から押止バンドで固定することを特徴としている。【０００５】  また、樋本体に落葉やゴミが入り込むことを防止する雨樋がある（例えば、特許文献２参照）。
上掲特許文献２の雨樋は、屋根から流れ落ちる雨水を受ける開口面が網で形成されていることを特徴としている。【０００６】  また、雨樋へ容易に装着できる雨樋内への異物侵入防止材を提供することを目的とし、枯葉等の異物が雨樋内に滞留することはなく、晴天になればそのまま風によって飛散してしまい、雨水はそのままこの防止材中を容易に透過する雨樋内への異物侵入防止材がある（例えば、特許文献３参照）。
上掲特許文献３の雨樋内への異物侵入防止材は、連通気泡性の樹脂フォーム或いは繊維マトリックスにて構成され、側面が雨樋の内側面に嵌め込み可能な形状となし、下面が雨樋面と間隔をもつ形状として、雨樋の長手方向に嵌め込まれたことを特徴とする。
【特許文献１】特開平１０−１８３９００号公報
【特許文献２】登録実用新案第３０３３６８２号公報
【特許文献３】特開２００５−２５６４１２号公報
【発明の開示】
【発明が解決しようとする課題】
【０００７】  しかしながら、上掲特許文献１の雨樋の落葉除避け具、特許文献２の雨樋は、施工が複雑になるとともに、コスト高に繋がるという問題が生じた。また網目を抜け落ちる小片状のゴミが樋内に堆積し、軒樋が劣化したり破損したりするという問題が残った。また特許文献３の雨樋内への異物侵入防止材においては、雨樋底面と異物侵入防止材との間に間隔が形成されるので、雨樋底面に小さなゴミが体積する虞が生じた。【０００８】  さらに、上掲特許文献１の雨樋の落葉除避け具、特許文献２の雨樋および特許文献３の雨樋内への異物侵入防止材においては、横樋と縦樋との接合部分に設置された集水器から縦樋内に侵入する異物を排除することはできなかった。【０００９】  そこで本発明は、上記した従来技術の問題点を解消し、施工が簡単で低コストに製作でき、軒樋の集水機能を低下させることなく、軒樋内に落ち葉やゴミ、鳥の巣等の侵入を防ぐことができ、さらには集水器から縦樋内に侵入する異物も排除することができる軒樋用収容具を提供することにある。
【課題を解決するための手段】
【００１０】  上記課題を解決するために、本発明の軒樋用収容具は、軒下に敷設される軒樋内に収容される軒樋用収容具であって、該軒樋用収容具は、軒樋底面から軒樋上部開口部に亘る樋内全体に収容されていることを特徴とする。【００１１】  また、前記軒樋用収容具は複数の繊維層で構成される。【００１２】  また、前記軒樋用収容具は密度の異なる高密度繊維層と低密度繊維層とからなる。【００１３】  また、前記軒樋用収容具は、軒樋内において高密度繊維層が上部に、低密度繊維層が下部に配設される。【００１４】  また前記高密度繊維層は、ニードルパンチ形状のハードマットである。【００１５】  また前記低密度繊維層は、スプリング状のカールマットである。【００１６】  また前記軒樋用収容具は、天然繊維または／および合成繊維にて形成されている。【００１７】  さらに、前記軒樋に装着される集水器内に軒樋用収容具を収納させた。
【発明の効果】
【００１８】  軒樋用収容具を軒樋底面から軒樋上部開口部に亘る樋内全体に収容させることにより、樋全面に濾過効果が得られ、軒樋内に落葉やゴミ、鳥の巣等が侵入することを確実に防ぐことができる。【００１９】  また軒樋用収容具を複数層とし、さらに密度の異なる高密度繊維層と低密度繊維層とすることで、優れた濾過効果と浸水性を発揮することができる。【００２０】  さらに、集水器内に軒樋用収容具を収納させたことで、集水器内にて異物を保持することができ、縦樋内へ侵入する異物も排除することができる。
【図面の簡単な説明】
【００２１】
【図１】本発明による軒樋用収容具の使用状態の斜視図である。
【図２】収容具の拡大断面図である。
【図３】軒樋用収容具の使用状態の断面図である。
【図４】集水器近傍の断面図である。
【発明を実施するための最良の手段】
【００２２】  以下、本発明における軒樋用収容具の実施の形態を図面に基づいて説明する。
本発明の軒樋用収容具は、施工が簡単で低コストに製作でき、軒樋の集水機能を低下させることなく、軒樋内に落葉やゴミ、鳥の巣等の侵入を防ぐことができ、さらには集水器の濾過効果も発揮することを特徴とする。
【００２３】  図示する軒樋用収容具１は、軒下に敷設される軒樋１０内に収容されるもので、特に、前記軒樋用収容具１は、軒樋１０の底面１３から軒樋上部の開口部１４に亘る樋内全体に収容させることを特徴とする。軒樋用収容具１を軒樋１０の底面１３から上部の開口部１４に亘り、空間を有することなく全体に充満させた状態で収容させることにより、軒樋１０の底面１３部分においても濾過効果が得られ、軒樋１０内に侵入する落葉やゴミ、鳥の巣等を確実に防ぐことができる。
【００２４】  前記軒樋用収容具１は、軒樋１０内に収容されるもので、図示する一般家庭用の断面半丸形状の半丸軒樋や、工業用の断面角形状の角軒樋（図示せず）等内に収容される。また軒樋用収容具１を軒樋１０内に収容させる際、一連に途切れることなく収容したり、間欠的に収容したりすることも可能である。
【００２５】  前記軒樋用収容具１は複数の繊維層で構成されている。また前記軒樋用収容具１は、密度の異なる高密度の繊維層や低密度の繊維層を複数積層させることができる。例えば、上層に高密度繊維層を配設した場合、下層に低密度の繊維層を配設したり、上層に低密度繊維層を配設した場合、下層に高密度の繊維層を配設したり、積層の組み合わせは任意に選択できる。また特に、前記軒樋用収容具１は、少なくとも二層以上であれば何層の組み合わせであってもよい。
【００２６】  また特に、前記軒樋用収容具１は、図示する上層の高密度繊維層２と、該高密度繊維層２の下部に配設される低密度繊維層３との構成にすることが好ましい。この際、前記低密度繊維層３は軒樋１０の底面１３に密着した状態で配設されている。
【００２７】  上層に配設される高密度繊維層２は、ニードルパンチ形状のハードマットからなる。前記高密度繊維層２は、レーヨン繊維、ナイロン繊維、ポリプロピレン繊維、ポリエステル繊維等からなり、それらの素材を単一で、もしくは二種類以上を組み合わせた合成繊維の不織布からなる。
【００２８】  前記高密度繊維層２は、高密度であり且つやや肉厚状のハードマットからなるため、雨水等の浸水性が得られるとともに、高密度繊維層２の上面に落葉やゴミ、鳥の巣等を保持することができ、それらが軒樋１０内に侵入することを防ぐことができる。
【００２９】  低密度繊維層３は、高密度繊維層２の下部に配設されるもので、スプリング状のカールマットからなる。また低密度繊維層３は、浸水性や通気性に優れ、さらに高い緩衝性を発揮する。
【００３０】  前記低密度繊維層３は、スプリング状にカール加工されたカールマットで、ポリ塩化ビニリデン（ＰＶＤＣ）系の合成繊維からなり、全体が粗い低密度で優れた透水性と高い柔軟性を有する。そのため、さまざまな形状の軒樋１０内に容易に収容させることができる。さらに、軒樋１０に雪等による圧力が加わっても、低密度繊維層３の緩衝性により軒樋用収容具１全体が沈まず、安定した排水が確保できる。
【００３１】  なお、前記高密度繊維層２と低密度繊維層３は、上述の素材に限定されるものではなく、シュロ等の天然繊維、化学繊維、若しくは天然繊維と化学繊維の合成繊維等、繊維状であれば如何なる素材で形成されたものでもよい。
【００３２】  また本発明の軒樋用収容具１は、図２に示すように、前記高密度繊維層２と低密度繊維層３とを積層して形成されるため、落葉等の大きなゴミを保持するとともに、雨水を濾過する効果が得られる。また軒樋１０の底面１３部分においても通水性を高めることができる。
【００３３】  また他の好適例として、図４に示すように、前記軒樋１０に装着される集水器２０内に軒樋用収容具２１を収納させた。集水器２０は、軒樋１０と縦樋３０との連結部分に装着されるもので、底部２２には、集水器２０内の雨水を縦樋３０へ排水する開口部２３が形成されている。
【００３４】  前記底部２２であって開口部２３の上部には、軒樋用収容具２１が配設されている。軒樋用収容具２１は、レーヨン繊維、ナイロン繊維、ポリプロピレン繊維、ポリエステル繊維等からなり、それらの素材を単一で、もしくは二種類以上を組み合わせた合成繊維の不織布からなる。またシュロ等の天然繊維、化学繊維、若しくは天然繊維と化学繊維の合成繊維等、繊維状であれば如何なる素材で形成されたものでもよい。
【００３５】  前記集水器２０内であって、開口部２３の上部に軒樋用収容具２１を配設させることで、図示するように、多くの雨水ａは軒樋１０にて濾過され、軒樋１０の両側面から侵入する僅かな異物を軒樋用収容具２１にて保持することができる。そのことにより、軒樋１０および集水器２０から排水された異物を含まない雨水ａが縦樋３０へと排水される。なお、前記集水器２０の上部開口部分に軒樋用収容具２１´を配設させてもよい。
【００３６】  また、前記縦樋３０の下部に貯水タンク（図示せず）を具備することで、異物を含まない濾過された雨水は防火用水として、また野菜や樹木の水遣り等として再利用が可能になる。
【００３７】  さらに、本発明の軒樋用収容具１を構成する高密度繊維層２と低密度繊維層３に、抗菌剤、滅菌剤、殺菌剤、防カビ剤等を付与することができる。そのことにより、軒樋用収容具１を浸水した雨水は、災害緊急時の飲用水として利用することも可能になる。
【００３８】  上述の如く、軒樋１０内に複数の繊維層、好ましくは高密度繊維層２と低密度繊維層３からなる軒樋用収容具１を、軒樋１０内全体に収容することで、軒樋の集水機能を低下させることなく、軒樋内に落葉やゴミ、鳥の巣等の侵入を効率よく防ぐことができる。また、集水器２０内に軒樋用収容具２１を収納させたことで、集水器２０内にて異物を保持することができ、縦樋３０内へ侵入する異物も排除することができる。
【符号の説明】
【００３９】１    軒樋用収容具
２    高密度繊維層
３    低密度繊維層
１０  軒樋
１１  縦樋
１３  底面
１４  開口部
２０  集水器
２１  軒樋用収容具
２２  底部
２３  開口部
３０  縦樋
ａ    雨水
【図１】
2011058347.tif 000003
【図２】
2011058347.tif 000004
【図３】
2011058347.tif 000005
【図４】
2011058347.tif 000006